(57)【要約】【課題】  視覚的にも高い訴求効果を得られるとともに、十分な耐荷重強度を有する菓子用包装箱の提供。【解決手段】  任意のデザイン部を設けた基材を、折り曲げ罫線刃と型抜き刃の他にデザイン罫線を形成するためのデザイン罫線刃を備えた抜き型により、所定の展開形状に打ち抜き形成するとともに折り曲げ罫線加工を施し、同時に前記デザイン部の周縁部に沿ったデザイン罫線を凹設し、前記折り曲げ罫線で折り曲げ組み立てる包装箱の製造方法。【選択図】  図１
2016137922.tif 000002
【特許請求の範囲】
【請求項１】
任意のデザイン部を設けた基材を、折り曲げ罫線刃と型抜き刃の他にデザイン罫線を形成するためのデザイン罫線刃を備えた抜き型により、所定の展開形状に打ち抜き形成するとともに折り曲げ罫線加工を施し、同時に前記デザイン部の周縁部に沿ったデザイン罫線を凹設し、前記折り曲げ罫線で折り曲げ組み立てる包装箱の製造方法。
【請求項２】
前記デザイン罫線が、前記デザイン部の周縁部を取り囲む閉じた枠状に形成されていることを特徴とする請求項１に記載の包装箱の製造方法。
【請求項３】
請求項１または請求項２のいずれかに記載の包装箱の製造方法により得られた菓子用包装箱。
【発明の詳細な説明】
【技術分野】
【０００１】
本発明は、板紙の表面に形成されたデザインの縁取りとして凹部加工を施した包装箱の製造方法およびその方法で製造された菓子用包装箱に関するものである。
【背景技術】
【０００２】
従来、基材となる板紙を折って組み立て形成する包装箱について、その表面に印刷などによる装飾を施すことは一般的に行われている。また、装飾をより立体的に見せたい場合の手法としては、エンボス加工や箔押し、浮きだし加工など、模様や図形、文字等を凹凸状に形成することが行われている。
【０００３】
ところで、かかる箔押しやエンボス加工等の凹部加工は、打ち抜き型により板紙の罫線加工と打ち抜き加工を同時に行った後、専用の装置によって別工程として施されており、かかる別工程に要する時間やコストが問題となっていた。
【０００４】
また、一般的な箔押し加工の場合、加工可能な紙の重さ（厚み）が３１０ｇに制限されてしまい、材料として使用することができる紙の種類が制限されてしまうという問題もあった。
【０００５】
このような凹部加工に伴う工程やコストが増加するという課題を解決すべく、特許文献１では、罫線加工により折り曲げ罫線とデザイン罫線をそれぞれ形成し、デザイン罫線では折り曲げずに、折り曲げ罫線に沿って折り曲げて折箱を製造する方法が開示されている。
【０００６】
しかしながら、ここで開示されているデザイン罫線は、所定の平面デザインを表すように複数平行に配された直線状の罫線（図１〜図４）であって、このように、一定方向に複数平行して延伸する罫線の場合、当該部分にデザイン罫線と垂直方向の力が加わることにより折れ曲がってしまう可能性が生じ、箱全体の強度を損ねるおそれがある。
【０００７】
特に、その内容物がお菓子などのように、万が一、箱の一部がつぶれた場合に容易に内容物も破損しやすいものであって、さらに、店頭陳列時には箱を何重にも重ねて置かれるものの場合、とりわけ上方からの荷重に耐えうるだけの強度が包装箱に要求され、かかる用途においては、特許文献１のデザイン罫線は適切ではなかった。
【０００８】
また、特許文献１のように複数の罫線のみでデザインが構成されている場合、単調な印象を与えるため、十分な視覚的効果を得られない場合がある。
【先行技術文献】
【特許文献】
【０００９】
【特許文献１】特開２００７−２６９３９９
【発明の概要】
【発明が解決しようとする課題】
【００１０】
そこで本発明は、従来の菓子用包装箱のかかる欠点を克服し、視覚的にも高い訴求効果を得られるとともに、十分な耐荷重強度を有する菓子用包装箱の提供をその課題とするものである。
【課題を解決するための手段】
【００１１】
本発明は、上記課題を解決するものであり、任意のデザイン部を設けた基材を、折り曲げ罫線刃と型抜き刃の他にデザイン罫線を形成するためのデザイン罫線刃を備えた抜き型により、所定の展開形状に打ち抜き形成するとともに折り曲げ罫線加工を施し、同時に前記デザイン部の周縁部に沿ったデザイン罫線を凹設し、前記折り曲げ罫線で折り曲げ組み立てる包装箱の製造方法である。  
【００１２】
また、本発明は、前記包装箱の製造方法で製造された菓子用包装箱である。
【発明の効果】
【００１３】
本発明の包装箱の製造方法は、打ち抜き加工と折り曲げ罫線加工を施すのと同時にデザイン部の周縁部に沿ったデザイン罫線を凹設するため、凹部加工のための別工程を必要とすることがなく、製造コストを抑えることができる。
【００１４】
また、本発明の包装箱の製造方法は、基材となる板紙の厚みを従来の凹部加工に使用できるものよりも厚くすることができるため、箱全体の強度を向上させることができる。
【００１５】
また、本発明の製造方法によって得られた菓子用包装箱は、デザイン罫線がデザイン部の周縁部を縁取るように凹設されているため、デザイン部がより際だって従来のエンボス加工や箔押し等では得られないアイキャッチ効果を奏する。
【００１６】
さらに本発明の製造方法によって得られた菓子用包装箱は、デザイン罫線がデザイン部の周縁部を縁取るように凹設されているため、箱全体の強度を弱めることもなく、内容物を確実に保護することができる。
【図面の簡単な説明】
【００１７】
【図１】本発明に係る菓子用包装箱の斜視図。
【図２】本発明に係る菓子用包装箱の展開図。
【図３】本発明に係る菓子用包装箱のデザイン部およびデザイン罫線の拡大図。
【発明を実施するための形態】
【００１８】
以下、本発明の包装箱の製造方法およびその方法で製造された菓子用包装箱の実施態様を、図面に基づいて具体的に説明する。なお、本発明はこれら実施態様に何ら制約されるものではない。
【００１９】
図１は、本発明に係る菓子用包装箱の斜視図、図２は、本発明に係る菓子用包装箱の展開図である。図中、１は菓子用包装箱、２は折り曲げ罫線、３は打ち抜き線、４はデザイン部、５はデザイン罫線、６は商品名等表示部、１１は蓋部、１２は側板、１３は底板、をそれぞれ示す。図に示すように、本発明に係る菓子用包装箱１は、１枚の板紙を所定の形状に打ち抜き加工して形成されたブランクを折り曲げ罫線２により折り曲げて組立てられる。
【００２０】
本実施態様の係る菓子用包装箱１は、ひとつの側板１２に１箇所ずつ、更に、蓋部１１に１箇所、計５箇所にデザイン部４が設けられている。これらのデザイン部４は、任意の図形、模様、文字等のいずれかもしくはそれらの組み合わせからなる意匠であり、印刷やエンボス加工等の通常の方法により形成されている。そして、かかるデザイン部４の周縁部は、デザイン罫線５により凹状に縁取りされている。本実施態様では、デザイン部４とデザイン罫線５は蓋部１１および側板１２に５箇所設けられているが、これらを設ける位置や数は任意に決めることができる。
【００２１】
本実施態様の場合、デザイン部４は包装箱の内容物であるケーキの形状を模式的な斜視図に表しており、その周縁部を凹状のデザイン罫線５により縁取ることによって、デザイン部４の意匠がより際立ち、高いアイキャッチ効果を奏する。
【００２２】
デザイン罫線５は、デザイン部４の形状に従って様々な形状を取り得るが、本実施態様のように、１本の連続する罫線がデザイン部４の周縁部に沿って形成されている。かかるデザイン罫線５は、本実施態様のように、デザイン部４全体を取り囲むような閉じた枠状に形成する方が箱の強度的にも好ましいが、周縁部の一部にデザイン罫線５をあえて設けず、意匠的効果を高めることを妨げるものではない。例えば、図３（ａ）に示すように、エンボス加工により施したデザイン部４の周縁部の一部にのみデザイン罫線４設けることにより、デザイン部４のエンボス効果をより強調することができる。なお、かかるデザイン罫線５は連続する１本の罫線で一筆書き状に形成されることが好ましいが、複数本の罫線により非連続的に形成しても良い。
【００２３】
また、デザイン罫線５を、図１、図３（ａ）のように、複数の直線の組み合わせで形成しても良いが、例えば、図３（ｂ）のようにデザイン部４の周縁部が曲線で構成される場合、かかる周縁部の曲線に合わせてデザイン罫線５も曲線で形成しても良い。また、図１、図３（ａ）に示すように、デザイン罫線５はデザイン部４の周縁部のみに形成することが好ましいが、図３（ｂ）に示すように、デザイン罫線５の一部がデザイン部４の内部（図３（ｂ）ではキャラクターの顔とその横に位置する手との境界部分）に取り込まれるように形成することを妨げるものではない。
【００２４】
デザイン罫線５は、図３（ｂ）に示すようにデザイン部４の輪郭と一致するように設けても良いが、デザイン部４のずれやデザイン罫線５の多少のずれが生じる可能性を考慮し、図１、図３（ａ）のようにデザイン部４の輪郭との間に多少の余白を形成しておくことが好ましい。
【００２５】
次に、本発明にかかる包装箱の製造方法について説明する。なお、本発明にかかる包装箱の製造方法では、通常の折り曲げ罫線加工用の折り曲げ罫線刃と型抜き加工用の型抜き刃の他に、デザイン部４の位置と対応する位置にデザイン罫線５を形成するためのデザイン罫線刃が設けられている抜き型（木型）を使用する。そして、デザイン罫線加工以外については、通常の包装箱の製造方法により製造すればよい。
【００２６】
本発明にかかる包装箱の製造方法は、まず、基材となる平板状の板紙の原紙に印刷工程にて印刷を施し、着色および任意の模様や、商品名等表示部６を印刷する。このとき、併せてデザイン部４を構成する任意の意匠を印刷する。なお、デザイン部４は印刷以外の公知の方法によって形成しても良い。次に、所定の抜き型により、打ち抜き線３に沿って図２に示すような所定の展開形状に打ち抜き形成するとともに、折り曲げ罫線２を凹設する加工を行う。
【００２７】
上述のとおり、本発明にかかる包装箱の製造方法で使用される抜き型（木型）には、通常の折り曲げ罫線刃と型抜き刃の他に、デザイン罫線刃が設けられているため、折り曲げ罫線加工および型抜き加工されるのと同時に、デザイン部４の周縁部を縁取るデザイン罫線５が凹設される。
【００２８】
以上の工程を経て、図２に示すような折り曲げ罫線２とデザイン罫線５が施された組立前の包装箱が得られる。その後、折り曲げ罫線２で所定の形状に折り曲げ、組み立てることにより、内容物を収納可能な包装箱が完成する。なお、包装箱の形状は、図１に示すような蓋部を有する直方体に限定されず、その他の任意の立体形状を採用することができる。
【００２９】
本発明にかかる包装箱の製造方法では、基材となる板紙の厚みが２７０ｇ／ｍ2、３１０ｇ／ｍ2、３５０ｇ／ｍ2、４００ｇ／ｍ2のものを使用することができる。一方、通常の箔押し等の浮き出し加工では３１０ｇ／ｍ2までしか加工できないため、従来のものよりも強度に優れた包装箱を製造することができる。
【符号の説明】
【００３０】
１  …  …  菓子用包装箱
２  …  …  折り曲げ罫線
３  …  …  打ち抜き線
４  …  …  デザイン部
５  …  …  デザイン罫線
６  …  …  商品名等表示部
１１  …  …  蓋部
１２  …  …  側板
１３  …  …  底板
以  上
【図１】
2016137922.tif 000003
【図２】
2016137922.tif 000004
【図３】
2016137922.tif 000005